(57)【要約】【課題】作業者の作業性や経済性を向上させ、ユニット装置の小型化、及び低コスト化となる樹脂製ケースとカバーからなるユニット装置を提供する。【解決手段】電子部品を搭載したプリント基板を収納する樹脂製のケース１と、ケース１に係合してケース１を覆うカバー４からなるユニット装置において、ケース１との係合をカバー短穴７，８の箇所で外してケース１からカバー４を取り外すための樹脂製の専用治具１２をカバー４に脱着可能な樹脂製の小カバー９に形成した。【選択図】　　図１１
2004071709.tif 000002
【特許請求の範囲】
【請求項１】
内部に部品を収納する樹脂製のケースと、該ケースに係合して該ケースを覆う樹脂製のカバーからなるユニット装置において、前記ケースとの係合を外して前記ケースから前記カバーを取り外すための樹脂製の専用治具を前記カバーに収納したことを特徴とするユニット装置筐体。
【請求項２】
前記専用治具が前記カバーに脱着可能な樹脂製の小カバーに形成されていることを特微とする請求項１記載のユニット装置筐体。
【請求項３】
前記小カバーが、前記ケースと前記カバーとの係合を外すくさび型のツメ突起と、前記小カバーを前記カバーに係止させる保護ストッパー部とを備えていることを特徴とする請求項２記載のユニット装置筐体。
【発明の詳細な説明】
【０００１】
【発明の属する技術分野】
本発明は、電子部品を搭載したプリント基板を収納する樹脂製のケースとこのケースに係合して該ケースを覆うカバーからなるユニット装置の筐体に関する。
【０００２】
【従来の技術】
従来、電子部品を搭載したプリント基板を収納する樹脂製のケースとカバーからなるユニット装置において、前記プリント基板を前記ケースから取り出す際にそのケースに対して装着されている前記カバーを取り外す必要がある。
この場合、通常は専用の治具は用意されておらず、各作業者でそれに相当するものを用意するか、または市販のドライバーなどを使うのが一般的であった。
【０００３】
【発明が解決しようとする課題】
ところが、従来技術では、各作業者がカバーを取り外すための治具を自作したり、相当する市販品を購入するなどが必要で、作業性や経済性が悪かった。
また、安全性からみても市販ドライバーを使う場合、ドライバーの材質が金属であることからケースやカバーにキズをつけたり、あるいは破損させる危険性もあった。さらに、対象のユニット装置とは別にこれらを常備させておくため、収納場所の確保も必要であった。
そこで、本発明は上記従来の問題を解決するもので、作業者がカバー取り外し治具を自作したり購入したりする必要のない、作業性や経済性の良い、安全なカバー取り外し治具を提供することを目的とする。
【０００４】
【課題を解決するための手段】
前記課題を解消するために、請求項１記載のユニット装置筐体の発明は、内部に部品を収納する樹脂製のケースと、該ケースに係合して該ケースを覆う樹脂製のカバーからなるユニット装置において、前記ケースとの係合を外して前記ケースから前記カバーを取り外すための樹脂製の専用治具を前記カバーに収納したことを特徴とする。
また、請求項２記載の発明は、請求項１記載のユニット装置筐体において、前記専用治具が、前記カバーに脱着可能な樹脂製の小カバーに形成されていることを特微とする。
そして、請求項３記載の発明は、請求項２記載のユニット装置筐体において、前記小カバーが、前記ケースと前記カバーとの係合を外すくさび型のツメ突起と、前記小カバーを前記カバーに係止させる保護ストッパー部とを備えていることを特徴とする。
以上の構成により、専用治具が小カバー自体に形成されているので、小カバーを取り外して用いればよく、作業者の作業性や経済性を向上させる。
同時に、ユニット装置筐体の設計者自身が専用治具も設計するので、最適な治具となり信頼性の高い装置を提供し、さらに小カバーが専用治具の機能を兼用するので、専用治具を別体として備える必要がなくなるのでユニット装置の小型化、及び低コスト化となる。
【０００５】
【発明の実施の形態】
以下、本発明の実施の形態について図に基づいて詳細に説明する。
本実施の形態では、電子部品を搭載したプリント基板を複数枚収納する樹脂製のケースとこのケースを覆うカバーからなるユニット装置筐体において、そのケースとこのケースに対して相対する前記カバーとから構成される場合の例について説明する。
図１は本発明の第１の実施の形態を示すユニット装置の全体の等角図である。
図１において、１は樹脂製ケース本体、２、３はケース長穴、４は樹脂製カバー本体、５、６はカバーツメ、７、８はカバー短穴、９は専用治具を形成された樹脂製バッテリカバー、９ａはつかみ部、１０、１１はバッテリカバーツメである。
図から解るように、電子部品を搭載したプリント基板を複数収納する樹脂製のケース１に相対する樹脂製のカバー４が装着されている。このとき、ケース１側の長穴２、長穴３にそれぞれカバー４側のツメ５、ツメ６が入り込み嵌合している。この逆側面に対しても同等である。
また、カバー４には、ケース本体１に収納されたバッテリの一側面を覆う樹脂製のバッテリカバー９（以下、カバー４に対して「小カバー」と呼ぶこともある。）が装着されている。このとき、カバー４側の短穴７、短穴８にそれぞれバッテリカバー９側のツメ１０、ツメ１１が入り込み嵌合している。
【０００６】
図２は樹脂製のバッテリカバー９を示す等角図、図３はその三面図である。
図において、図１と同じ符号は同一物を指す。図１で重複していない符号の１２はツメ状の専用治具、１２ａはストッパー面、１３はくさび形状部である。このように、くさび形状部１３を持った専用治具１２がバッテリカバー９の底面中央に一体成形されている。
図４は専用治貝付きバッテリカバー９がカバー４に装着され、くさび形状部１３を持った専用治具１２がカバー４内に収納されている状態の正面図を示す。
図５および図６は図４のそれぞれの側面図と下面図を示している。
図において、１４は逃げ穴である。このように専用治具１２はカバー４内部にあけられた逃げ穴１４によってカバー４と干渉せずに収納されることができる。
ここで、専用治具付きバッチリカバー９のつかみ部９ａに指を引っかけて正面前方に引っ張ると専用治具付きバッテリカバー９のツメ１０、ツメ１１が樹脂バネの作用でたわみ、カバー長穴７およびカバー長穴８から外れる。
図７および図８は、専用治具付きバッテリカバー９がカバー４に装着されている状態を示す図５からバッテリカバー９を外したときのそれぞれの側面図と下面図を示す。通常は、メモリバックアップ用のバッテリ１５（図９）を交換する際にこの手順によりバッテリカバー９を外す。
【０００７】
次に、この外したバッテリカバー９を用い、そのバッテリカバー９に形成されている専用治具１２でケース１からカバー４を取り外す方法を順に述べる。
図９は本発明の専用治具使用例等角図、図１０はその詳細図を示す。
今、図のように専用治具１２のくさび部１３をケース１の長穴２に押し込むように入れる。このとき、カバー４側のツメ５の傾斜部５ａとケース１の長穴２の間に専用治具１２のくさび部１３が入り込み、カバー４のツメ５が樹脂バネによりたわみ、このツメ５が長穴２から抜け出す。
ケース１の長穴のいくつかに対して同じことを繰り返すことにより、カバー４はケース１から簡単に外れる。
図１１はこのようにしてカバー４がケース１から外れた状態の等角図を、図１２はその詳細図を示す。
このとき、専用治具１２のストッパー面１２ａがケース１の表面に当たることにより、専用治具１２が必要以上にカバー４のツメ５を押し込まないように保護する。
一般的にドライバーなどを使い同様にしてカバー４のツメ５を押し込む際には、ドライバー先が必要以上にケース長穴２に入り込み、場合によってはカバー４のツメ５やケース長穴２を傷つけたり、最悪は破壊する可能性がある。
また、ドライバーや他の工具等を用いる場合はその収納場所が問題となり得る。
本発明では、カバーをケースから簡単にしかも安全に製品を傷つけることなく取り外せるだけでなく、バッテリカバーに機能を兼用させることでスペースを確保できるので製品の小型化、あるいはローコスト化にもつながる。
また、使用しないときにはユニット装置に装着できるので作業者に対しても作業性が向上でき、自ら専用治具を用意しないですむことにより経済性も上がる。
これらにより、付加価値の高いユニット装置を実現することが可能である。
【０００８】
【発明の効果】
以上のように本発明によれば、電子部品を搭載したプリント基板を収納する樹脂製のケースと、該ケースに係合して該ケースを覆うカバーからなるユニット装置において、前記ケースとの係合を外して前記ケースから前記カバーを取り外すための樹脂製の専用治具を前記カバーに収納しており、
そしてその専用治具が前記カバーに脱着可能な樹脂製の小カバーに形成されるようにしており、
さらに、その小カバーが、前記ケースと前記カバーとの係合を外すくさび型のツメ突起と、前記小カバーを前記カバーに係止させる保護ストッパー部とを備えているような構成により、専用治具が小カバー自体に形成されているため、小カバーを取り外して用いればよく、作業者の作業性や経済性を向上させることとなる。
同時に、ユニット装置筐体の設計者自身が専用治具も設計するので、最適な治具となり信頼性の高い装置を提供し、さらに小カバーが専用治具の機能を兼用するので、専用治具を別体として備える必要がなくなるのでユニット装置の小型化、及び低コスト化となる、といった効果がある。
【図面の簡単な説明】
【図１】本発明の第１の実施の形態を示すユニット装置の全体の等角図である。
【図２】本発明の専用治貝を示す等角図である。
【図３】図２の専用治具を示す三面図である。
【図４】図２の専用治具をユニット装置に装着した正面図である。
【図５】図４の側面図である。
【図６】図４の状態から専用治具をユニット装直から外した側面図である。
【図７】図４の下面図である。
【図８】図７の下面図である。
【図９】図７で装置から外した本発明の専用治具を使用してカバーを装置から外す様子を示す例の等角図である。
【図１０】図９の専用治具の先端部分の近傍を拡大した下面図で示す詳細図である。
【図１１】図９の専用治具を使用してカバーを装置から外した後の様子を示す等角図である。
【図１２】図１１の専用治具の先端部分の近傍を拡大した下面図で示す詳細図である。
【符号の説明】
１　樹脂製ケース本体
２、３　ケース長穴
４　樹脂製カバー本体
５、６　カバーツメ
５ａ　カバーツメ傾斜部
７、８　カバー短穴
９　専用治具付き樹脂製バッテリカバー
９ａ　つかみ部
１０、１１　バッテリカバーツメ
１２　ツメ状専用治具
１２ａ　ストッパー面
１３　くさび形状部
１４　逃げ穴
１５　バッテリ
【図１】
2004071709.tif 000003
【図２】
2004071709.tif 000004
【図３】
2004071709.tif 000005
【図４】
2004071709.tif 000006
【図５】
2004071709.tif 000007
【図６】
2004071709.tif 000008
【図７】
2004071709.tif 000009
【図８】
2004071709.tif 000010
【図９】
2004071709.tif 000011
【図１０】
2004071709.tif 000012
【図１１】
2004071709.tif 000013
【図１２】
2004071709.tif 000014